(57)【特許請求の範囲】
【請求項１】
複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御装置であって、
複数の前記段に対応する前記格納庫のうち、所定の円滑性を有する前記空き領域の個数に対して所定の閾値が設定される前記格納庫を特定段とし、
前記車両が載置されていない前記パレットを空きパレットとし、
入庫させる前記車両は、前記特定段に前記空きパレットがある場合には、前記特定段の前記空きパレットに入車させて前記特定段に入庫させ、前記特定段に前記空きパレットがない場合には、前記特定段以外の前記格納庫である他段から取り出された前記空きパレットに入車させて前記特定段に入庫させる機械式駐車装置の制御装置。
【請求項２】
前記他段から取り出した前記空きパレットに前記車両を載置した前記パレットを前記特定段に入庫させるのは、前記他段の前記空き領域の個数より前記特定段の前記空き領域の個数が多い場合とする請求項１に記載の機械式駐車装置の制御装置。
【請求項３】
入庫車両が増えて前記特定段の前記空き領域の個数が、前記所定の閾値になった場合には、それ以上、前記特定段に前記パレットを格納させず、前記他段に前記車両を入車した前記パレットを入庫させる入庫処理をする円滑モードを有する請求項１または請求項２に記載の機械式駐車装置の制御装置。
【請求項４】
前記機械式駐車装置は、２つ以上の前記他段を備えており、
前記円滑モードによって前記入庫処理させていた前記他段の前記空きパレットがない場合には、前記円滑モードを解除し、全ての前記格納庫で前記空き領域が均一になるまで前記特定段及び前記他段に対し、順に入庫させる請求項３に記載の機械式駐車装置の制御装置。
【請求項５】
複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御装置であって、
複数の前記段に対応する前記格納庫のうち、所定の円滑性を有する前記空き領域の個数に対して所定の閾値が設定される前記格納庫を特定段とし、
前記車両が載置されていない前記パレットを空きパレットとし、
前記特定段以外の前記格納庫を他段とし、
前記特定段の前記空きパレットがなく、かつ、前記特定段の前記車両が載置された前記パレットの枚数が所定の枚数になっている場合には、前記特定段から前記車両を出庫させた後、前記特定段から取り出した前記車両の出庫後の前記空きパレットは、前記他段に格納させる機械式駐車装置の制御装置。
【請求項６】
前記所定の枚数は、前記所定の円滑性を有する前記空き領域の個数に対する前記所定の閾値に基づいて決定される請求項５に記載の機械式駐車装置の制御装置。
【請求項７】
前記特定段が複数ある場合において、前記特定段の重みづけを設定し、該重みづけに基づいて前記車両の入出庫を制御する請求項１から請求項６のいずれかに記載の機械式駐車装置の制御装置。
【請求項８】
複数の前記特定段が、前記車両の種類に応じて設けられる場合において、
前記特定段の前記重みづけは、前記車両の種類に応じて設定される請求項７に記載の機械式駐車装置の制御装置。
【請求項９】
前記車両を入出庫させる入出庫部に距離が近い前記特定段から順に、前記重みづけを大きく設定する請求項７または請求項８に記載の機械式駐車装置の制御装置。
【請求項１０】
前記重みづけは、前記車両の入出庫の予約状況、及び前記車両の入出庫の動作状況のうち少なくともいずれか一方に応じて決定される請求項７から請求項９のいずれかに記載の機械式駐車装置の制御装置。
【請求項１１】
前記重みづけは、複数の前記特定段に格納される前記車両の台数に基づいて決定される請求項７から請求項１０のいずれかに記載の機械式駐車装置の制御装置。
【請求項１２】
前記特定段及び前記他段における前記空きパレットの枚数が、入出庫動作の期間、及び該入出庫動作の予約がない空き時間のうち、どちらか一方の期間において調整される請求項１から請求項１１のいずれかに記載の機械式駐車装置の制御装置。
【請求項１３】
前記特定段及び前記他段における前記空きパレットの枚数は、前記昇降装置によって前記パレットを昇降させることにより調整される請求項１から請求項１２のいずれかに記載の機械式駐車装置の制御装置。
【請求項１４】
請求項１から請求項１３のいずれかに記載の制御装置を備える機械式駐車装置。
【請求項１５】
前記特定段が、複数設けられる請求項１４に記載の機械式駐車装置。
【請求項１６】
前記特定段は、前記車両の種類に応じて設けられる請求項１４または請求項１５に記載の機械式駐車装置。
【請求項１７】
複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御方法であって、
複数の前記段に対応する前記格納庫のうち、所定の円滑性を有する前記空き領域の個数に対して所定の閾値が設定される前記格納庫を特定段とし、
前記車両が載置されていない前記パレットを空きパレットとし、
入庫させる前記車両は、前記特定段に前記空きパレットがある場合には、前記特定段の前記空きパレットに入車させて前記特定段に入庫させ、前記特定段に前記空きパレットがない場合には、前記特定段以外の前記格納庫である他段から取り出された前記空きパレットに入車させて前記特定段に入庫させる機械式駐車装置の制御方法。
【請求項１８】
複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御プログラムであって、
複数の前記段に対応する前記格納庫のうち、所定の円滑性を有する前記空き領域の個数に対して所定の閾値が設定される前記格納庫を特定段とし、
前記車両が載置されていない前記パレットを空きパレットとし、
入庫させる前記車両は、前記特定段に前記空きパレットがある場合には、前記特定段の前記空きパレットに入車させて前記特定段に入庫させ、前記特定段に前記空きパレットがない場合には、前記特定段以外の前記格納庫である他段から取り出された前記空きパレットに入車させて前記特定段に入庫させることをコンピュータに実行させるための機械式駐車装置の制御プログラム。
【請求項１９】
複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御方法であって、
複数の前記段に対応する前記格納庫のうち、所定の円滑性を有する前記空き領域の個数に対して所定の閾値が設定される前記格納庫を特定段とし、
前記車両が載置されていない前記パレットを空きパレットとし、
前記特定段以外の前記格納庫を他段とし、
前記特定段の前記空きパレットがなく、前記特定段の前記車両が載置された前記パレットの枚数が、所定の枚数になっている場合には、前記特定段から前記車両が出庫された後、前記特定段から取り出した前記車両の出庫後の前記空きパレットは、前記他段に格納する機械式駐車装置の制御方法。
【請求項２０】
複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御プログラムであって、
複数の前記段に対応する前記格納庫のうち、所定の円滑性を有する前記空き領域の個数に対して所定の閾値が設定される前記格納庫を特定段とし、
前記車両が載置されていない前記パレットを空きパレットとし、
前記特定段以外の前記格納庫を他段とし、
前記特定段の前記空きパレットがなく、前記特定段の前記車両が載置された前記パレットの枚数が、所定の枚数になっている場合には、前記特定段から前記車両が出庫された後、前記特定段から取り出した前記車両の出庫後の前記空きパレットは、前記他段に格納することをコンピュータに実行させるための機械式駐車装置の制御プログラム。
【発明の詳細な説明】
【技術分野】
【０００１】
本発明は、機械式駐車装置、機械式駐車装置の制御装置及びその方法並びにプログラムに関するものである。
【背景技術】
【０００２】
Ｎ行×Ｍ列の格子状に配置され、車両を格納する格納棚を有する格納庫を備え、格納棚に車両を載置して搬送するための複数のパレットが配置され、該パレットが格納棚間を水平面内の縦方向及び横方向に移動することで、格納庫内で車両の搬送を行う機械式駐車装置が開発されている。より具体的には、上記機械式駐車装置は、格納棚として、パレットが配置された格納棚と、パレットが配置されず空き領域となる格納棚とがあり、空き領域の格納棚へパレットを送ることで、パレットを移動させる。機械式駐車装置は、このようなパレットの移動動作を繰返し行うことにより、目的のパレットを指定した位置の格納棚へ移動させる。
【０００３】
車両の入庫時には、機械式駐車装置の乗入階にある入出庫部で、入庫させる車両が停車され、乗員が車両から降りる。そして、機械式駐車装置は、昇降装置（以下、「リフト」という。）上のパレットに車両を載せ、該パレットを格納庫まで搬送し、車両が載置されたパレットをリフトから格納庫へ移動させることで、車両を格納する。一方、出庫時には、機械式駐車装置は、格納庫内のパレットを移動させて、出庫させる車両の載置されたパレットをリフトへ移動させ、当該パレットをリフトによって乗入階の入出庫部へ搬送することで、車両を出庫させる。
【０００４】
このような機械式駐車装置において、パレットが空き領域に送られることにより格納庫内を移動するため、空き領域の数が多いほど、多くの棚間を一度に移動でき、入出庫に要する時間が短縮できる。一方で、空き領域を多くすることは、機械式駐車装置に格納できる車両の台数を低減させ、設備としての収容効率を低下させることになるので、機械式駐車装置の空き領域の数と格納できる車両の台数とは、収容効率と利便性のトレードオフによって決定される必要があった。
【０００５】
例えば、特許文献１には、出庫車両が載置されているパレットに隣接するパレットを他の段に移動させ、各段で空きスペースを調整することにより、出庫車両の載置されているパレットの移動時間を短縮する技術が開示されている。
【先行技術文献】
【特許文献】
【０００６】
【特許文献１】特許第４２８２０４１号公報
【発明の概要】
【発明が解決しようとする課題】
【０００７】
しかしながら、上記特許文献１の方法では、補助リフトによって各段のパレット数を調整し、主リフトによって入出庫の制御をしているので、補助リフト設置のための設置スペースが必要で収容台数が減り、設備が高価になり、かつ、機械式駐車装置が複雑になるという問題があった。
【０００８】
本発明は、このような事情に鑑みてなされたものであって、簡便な構成で入出庫の円滑性を向上させ、入出庫にかかる時間を低減する機械式駐車装置の制御装置及びその方法並びにプログラムを提供することを目的とする。
【課題を解決するための手段】
【０００９】
上記課題を解決するために、本発明は以下の手段を採用する。
本発明は、複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御装置であって、複数の前記段に対応する前記格納庫のうち、所定の円滑性を有する前記空き領域の個数に対して所定の閾値が設定される前記格納庫を特定段とし、前記車両が載置されていない前記パレットを空きパレットとし、入庫させる前記車両は、前記特定段に前記空きパレットがある場合には、前記特定段の前記空きパレットに入車させて前記特定段に入庫させ、前記特定段に前記空きパレットがない場合には、前記特定段以外の前記格納庫である他段から取り出された前記空きパレットに入車させて前記特定段に入庫させる機械式駐車装置の制御装置を提供する。
【００１０】
このような構成によれば、制御装置は、複数の段を有する構造物内に設置され、車両が載置されたパレットが昇降する昇降装置、該昇降装置が昇降する昇降路に沿った複数の段に配置された複数の格納棚、及びパレットが配置されない空き領域となる１箇所以上の格納棚を含む格納棚が格子状に配置された格納庫を備える機械式駐車装置に設けられる。また、複数の段に対応する格納庫のうち、所定の円滑性を有する空き領域の個数が設定される格納庫を特定段とし、特定段の空きパレットがある場合には、特定段の空きパレットに車両を入車して特定段に入庫し、特定段の空きパレットがない場合には他段から取り出した空きパレットに車両を入車して特定段に入庫する。ここで、円滑性とは、パレットの移動のし易さを意味し、所定の円滑性を有するとは、他段と比較して移動をし易くして早く入出庫が行えるように多くの空き領域を有することである。また、入車とは、パレットに車両が載置されることであり、入庫とは、車両が載置されたパレットが格納庫の所望の格納棚に配置されることである。
【００１１】
このように、特定段は、車両を優先的に入庫させる格納庫として使用され、特定段の空き領域の個数が所定の円滑性を有する個数に設定され最適化されているので、車両入庫時の円滑性が向上する。また、特定段は、空きパレットが不足している場合には他段から取り出した空きパレットを使用して入庫を受け入れるように、駐車状況に応じて空き領域の個数が更新されるため、車両の収容台数を減らすことなく、円滑性を向上させることができる。
また、本発明は、通常の入出庫で使用される昇降装置を利用し、従来の機械式駐車装置のソフトウェア的な入庫制御方法において車両が載置されたパレットを配置する先（段）の変更によって簡易に実現できるので、導入コストを抑えることができる。さらに、補助リフト等の追加の設備が不要となるので、補助リフト等を設ける場合と比較して機械式駐車装置の複雑さを低減することができ、補助リフトスペースに格納棚を設けて収容台数を増やすことができる。
【００１２】
上記機械式駐車装置の制御装置は、前記他段から取り出した前記空きパレットに前記車両を載置した前記パレットを前記特定段に入庫させるのは、前記他段の前記空き領域の個数より前記特定段の前記空き領域の個数が多い場合とすることが好ましい。
これにより、特定段に格納される車両が増えた場合であっても、特定段の所定の円滑性は他段以上であることを確実に保つことができる。
【００１３】
上記機械式駐車装置の制御装置は、入庫車両が増えて前記特定段の前記空き領域の個数が、前記所定の閾値になった場合には、それ以上、前記特定段に前記パレットを格納させず、前記他段に前記車両を入車した前記パレットを入庫させる入庫処理をする円滑モードを有することが好ましい。
【００１４】
入庫車両が増えて特定段の空き領域の個数が所定の閾値となる場合には、特定段に入庫されることがなく、他段に車両が入庫され、他段への車両の入庫が繰り返される。これにより、特定段の所定の円滑性が悪化することがなく、特定段の所定の円滑性を保つことができる。
【００１５】
上記機械式駐車装置の制御装置において、前記機械式駐車装置は、２つ以上の前記他段を備えており、前記円滑モードによって前記入庫処理させていた前記他段の前記空きパレットがない場合には、前記円滑モードを解除し、全ての前記格納庫で前記空き領域が均一になるまで前記特定段及び前記他段に対し、順に入庫させることとしてもよい。
このように、入庫を受け入れた他段の空きパレットもない場合には、円滑モードが解除され、空き領域数を更新するので、駐車状況に応じて、特定段及び他段は閾値を超えて入庫を受け入れられることとなり、機械式駐車装置全体として収容台数を減らすことがない。
【００１６】
本発明は、複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御装置であって、複数の前記段に対応する前記格納庫のうち、所定の円滑性を有する前記空き領域の個数に対して所定の閾値が設定される前記格納庫を特定段とし、前記車両が載置されていない前記パレットを空きパレットとし、前記特定段以外の前記格納庫を他段とし、前記特定段の前記空きパレットがなく、かつ、前記特定段の前記車両が載置された前記パレットの枚数が所定の枚数になっている場合には、前記特定段から前記車両を出庫させた後、前記特定段から取り出した前記車両の出庫後の前記空きパレットは、前記他段に格納させる機械式駐車装置の制御装置を提供する。
【００１７】
このような構成によれば、制御装置は、複数の段を有する構造物内に設置され、車両が載置されたパレットが昇降する昇降装置、該昇降装置が昇降する昇降路に沿った複数の段に配置された複数の格納棚、パレットが配置されない空き領域となる１箇所以上の格納棚が格子状に配置された格納庫を備える機械式駐車装置に設けられる。また、複数の段に対応する格納庫のうち、所定の円滑性を有する空き領域の個数が設定される格納庫を特定段とし、特定段の空きパレットがなく、車両が載置されたパレットの枚数が所定の枚数になっている場合には、特定段から出庫させた後の空きパレットを他段に格納する。ここで、円滑性とは、パレットの移動のし易さを意味し、具体的には、所定の円滑性を有するとは、他段と比較して多くの空き領域を有することである。
【００１８】
このように、特定段の空きパレットがなく、特定段におけるパレットの枚数が所定の枚数になっている場合、換言すると、空き領域が所定の個数となっている場合には、特定段から出庫された後の空きパレットは他段に格納されるので、特定段の空き領域が増え、特定段の円滑性が向上する。
また、本発明は、通常の入出庫で使用される昇降装置を利用し、従来の機械式駐車装置のソフトウェア的な制御方法の変更によって実現できるので、導入コストを抑えることができる。さらに、補助リフト等の追加の設備が不要であるので、補助リフト等を設ける場合と比較して機械式駐車装置の複雑さを低減することができる。
【００１９】
上記機械式駐車装置の制御装置の前記所定の枚数は、前記所定の円滑性を有する前記空き領域の個数に対する前記所定の閾値に基づいて決定されることとしてもよい。
特定段の空きパレットがない状態であっても、特定段の所定の円滑性は保たれる。
【００２０】
上記機械式駐車装置の制御装置において、前記特定段が複数ある場合において、前記特定段の重みづけを設定し、該重みづけに基づいて前記車両の入出庫を制御することとしてもよい。
複数の特定段に設定された重みづけに基づいて、車両の入出庫が制御されるので、複数の特定段がある場合であっても、所望の円滑性を保つことができる。
【００２１】
上記機械式駐車装置の制御装置の複数の前記特定段が、前記車両の種類に応じて設けられる場合において、前記特定段の重みづけは、前記車両の種類に応じて設定されることとしてもよい。
車両の種類（以下「車種」という）とは、車高や車長等の相違に基づいて分けられる種類であり、例えば、ハイルーフ車、普通車、ワゴン等に分けられる。このように、車種に応じて特定段を設けることにより、車種毎に入出庫の円滑性が偏ることがなく、いずれの車種であっても、入出庫の円滑性が保たれる。
【００２２】
上記機械式駐車装置の制御装置の前記車両を入出庫させる入出庫部に距離が近い前記特定段から順に、前記重みづけを大きく設定することとしてもよい。
複数の特定段がある場合に、入出庫部との距離によって左右される入出庫にかかる時間の長短を重みづけで調整できる。例えば、入出庫部と特定段との距離が最も近い特定段を最も重みづけを大きくし、優先順位を高くする場合には、他の特定段と比較して、速やかに入出庫が制御できる。また、入出庫部と特定段との距離とは、例えば、段数で示される距離であり、入出庫部が第１段にある場合には、第２段にある特定段との距離は「１」、第５段にある特定段との距離は「４」となる。
【００２３】
上記機械式駐車装置の制御装置における前記重みづけは、前記車両の入出庫の予約状況、及び前記車両の入出庫の動作状況のうち少なくともいずれか一方に応じて決定されることとしてもよい。
機械式駐車装置の入出庫の予約状況や入出庫の動作状況等に応じて特定段の重みづけが変更されるので、実際の運用状態に応じて入出庫の円滑性の向上が図れる。
【００２４】
上記機械式駐車装置の制御装置の前記重みづけは、複数の前記特定段に格納される前記車両の台数に基づいて決定されることとしてもよい。
入庫車両の台数が時々刻々と変わる場合であっても、その時々の入庫される車両の台数に応じて特定段に対する重みづけが変更されることとなるので、運用状況に応じて入出庫の円滑性の向上が図れる。
【００２５】
上記機械式駐車装置の制御装置における、前記特定段及び前記他段における前記空きパレットの枚数は、入出庫動作の期間、及び該入出庫動作の予約がない空き時間のうち、どちらか一方の期間において調整されることとしてもよい。
空きパレットの枚数調整は、入庫動作の期間及び空き時間のいずれかの期間で行うことができるので、適宜円滑性の向上が図れる。
【００２６】
上記機械式駐車装置の制御装置における、前記特定段及び前記他段における前記空きパレットの枚数は、前記昇降装置によって前記パレットを昇降させることにより調整されることとしてもよい。
車両を載置して昇降する昇降装置によって特定段と他段とのパレット枚数を調整できるので、補助リフト等のパレット調整用設備を利用する場合と比較して、設備が複雑にならず、かつ、導入コストが低減できる。
【００２７】
本発明は、上記いずれかに記載の制御装置を備える機械式駐車装置を提供する。
機械式駐車装置が、上述した制御装置を備えることにより、機械式駐車装置の円滑性が向上される。
【００２８】
上記機械式駐車装置において、前記特定段が、複数設けられることとしてもよい。
【００２９】
上記機械式駐車装置において、前記特定段は、前記車両の種類に応じて設けられることとしてもよい。
車両の種類（以下「車種」という）とは、車高や車長等の相違によって分けられる種類であり、例えば、ハイルーフ車、普通車、ワゴン車等に分けられる。このように、車種に応じて特定段を設けることにより、車種毎に入出庫の円滑性が偏ることがなく、いずれの車種であっても、円滑性が保たれる。また、車種が異なる場合であっても、パレットは共通のものを使用できることとする。
【００３０】
本発明は、複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御方法であって、複数の前記段に対応する前記格納庫のうち、所定の円滑性を有する前記空き領域の個数に対して所定の閾値が設定される前記格納庫を特定段とし、前記車両が載置されていない前記パレットを空きパレットとし、入庫させる前記車両は、前記特定段に前記空きパレットがある場合には、前記特定段の前記空きパレットに入車させて前記特定段に入庫させ、前記特定段に前記空きパレットがない場合には、前記特定段以外の前記格納庫である他段から取り出された前記空きパレットに入車させて前記特定段に入庫させる機械式駐車装置の制御方法を提供する。
【００３１】
本発明は、複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御プログラムであって、複数の前記段に対応する前記格納庫のうち、所定の円滑性を有する前記空き領域の個数に対して所定の閾値が設定される前記格納庫を特定段とし、前記車両が載置されていない前記パレットを空きパレットとし、入庫させる前記車両は、前記特定段に前記空きパレットがある場合には、前記特定段の前記空きパレットに入車させて前記特定段に入庫させ、前記特定段に前記空きパレットがない場合には、前記特定段以外の前記格納庫である他段から取り出された前記空きパレットに入車させて前記特定段に入庫させることをコンピュータに実行させるための機械式駐車装置の制御プログラムを提供する。
【００３２】
本発明は、複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御方法であって、複数の前記段に対応する前記格納庫のうち、所定の円滑性を有する前記空き領域の個数に対して所定の閾値が設定される前記格納庫を特定段とし、前記車両が載置されていない前記パレットを空きパレットとし、前記特定段以外の前記格納庫を他段とし、前記特定段の前記空きパレットがなく、前記特定段の前記車両が載置された前記パレットの枚数が、所定の枚数になっている場合には、前記特定段から前記車両が出庫された後、前記特定段から取り出した前記車両の出庫後の前記空きパレットは、前記他段に格納する機械式駐車装置の制御方法を提供する。
【００３３】
本発明は、複数の段を有する構造物内に設置され、車両を載せて搬送するためのパレットが昇降する昇降装置、該昇降装置が昇降する昇降路に沿った複数の前記段に配設された複数の格納棚、及び前記パレットが配置されない空き領域となる１箇所以上の前記格納棚が格子状に配置された格納庫を備える機械式駐車装置の制御プログラムであって、複数の前記段に対応する前記格納庫のうち、所定の円滑性を有する前記空き領域の個数に対して所定の閾値が設定される前記格納庫を特定段とし、前記車両が載置されていない前記パレットを空きパレットとし、前記特定段以外の前記格納庫を他段とし、前記特定段の前記空きパレットがなく、前記特定段の前記車両が載置された前記パレットの枚数が、所定の枚数になっている場合には、前記特定段から前記車両が出庫された後、前記特定段から取り出した前記車両の出庫後の前記空きパレットは、前記他段に格納することをコンピュータに実行させるための機械式駐車装置の制御プログラムを提供する。
【発明の効果】
【００３４】
本発明は、簡便な構成で入出庫の円滑性を向上させ、入出庫にかかる時間を低減できるという効果を奏する。
【図面の簡単な説明】
【００３５】
【図１】本発明の第１の実施形態に係る機械式駐車装置の概略構成図である。
【図２】本発明の第１の実施形態に係る機械式駐車装置の制御装置の電気的構成を示すブロック図である。
【図３】本発明の第１の実施形態に係る機械式駐車装置に入庫処理を説明する図である。
【図４】図３の入庫処理の続きを説明する図である。
【図５】図４の入庫処理の続きを説明する図である。
【図６】図５の入庫処理の続きを説明する図である。
【図７】図６の入庫処理の続きを説明する図である。
【図８】本発明の第２の実施形態に係る機械式駐車装置において、特定段が複数設定されている場合を示した図の一例である。
【図９】本発明の第３の実施形態に係る機械式駐車装置において、特定段が車種に応じて設定されている場合を示した図の一例である。
【図１０】本発明の第４の実施形態に係る機械式駐車装置において、重みづけが可変設定された場合の入出庫処理を説明する図である。
【図１１】図１０の入出庫処理の続きを説明する図である。
【図１２】図１１の入出庫処理の続きを説明する図である。
【図１３】本発明の第５の実施形態に係る機械式駐車装置において、重みづけが入庫台数によって設定された場合の入出庫処理を説明する図である。
【図１４】図１３の入出庫処理の続きを説明する図である。
【図１５】図１４の入出庫処理の続きを説明する図である。
【発明を実施するための形態】
【００３６】
以下に、本発明に係る機械式駐車装置、機械式駐車装置の制御装置及びその方法並びにプログラムの実施形態について、図面を参照して説明する。
【００３７】
〔第１の実施形態〕
図１は、第１の実施形態に係る機械式駐車装置１０の概略構成図である。
図１に示されるように、機械式駐車装置１０は、複数の段（階）を有する構造物内に設置され、車両１２を入出庫させる入出庫部１４と、車両１２を載せて搬送するためのパレット（板状の台）１６が昇降するリフト（昇降装置）２２、リフト２２が昇降する昇降路に沿った複数の段に配設された複数の格納棚１８、及びパレット１６が配置されない空き領域となる１箇所以上の格納棚を含む格納棚１８が格子状（例えば、Ｎ行×Ｍ列）に配置された格納庫２０を備えている。ここで、格子状に配置された格納庫とは、碁盤の目状に隙間なく格納棚が配置された状態だけでなく、特定の格納棚の領域が、建築物の柱、壁、機械設備等により塞がれて使用できなくなっている配置も含むこととするが、本発明の説明には直接関係しないので、明示的な記載をしていない。
【００３８】
また、リフト２２は、入出庫部１４と格納庫２０の間を昇降してパレット１６を移動させる。空き領域は、パレット１６が配置されていないので、隣接する格納棚１８からパレット１６を通過させたり、移動させることができる。また、車両１２が載置されていないパレット１６は、空きパレット１６´とする。
【００３９】
パレット１６には、各々異なる番号が予め付加されており、機械式駐車装置１０は、付加されている番号によって各パレット１６を識別する。
入出庫部１４には、扉２６と操作盤２８とが設けられている。
操作盤２８は、機械式駐車装置１０の利用者が操作可能なように、入出庫部１４の外側に設けられ、例えば、スイッチ等を介して各種操作（入庫又は出庫の指示等）の入力を受け付けるとともに、液晶ディスプレイ装置等の画像表示装置によって、種々の情報を利用者のために表示する。
【００４０】
そして、機械式駐車装置１０は、パレット１６を、格納棚１８間で水平面内の縦方向及び横方向に移動（循環）させることで、格納庫２０内で車両１２の搬送を行う。すなわち、本実施形態に係る機械式駐車装置１０は、パレット１６を水平循環させるパズル式の機械式駐車装置である。
【００４１】
機械式駐車装置１０は、複数の段に対応する格納庫２０のうち、所定の円滑性を有する空き領域の個数（以下「閾値」という）が設定される格納庫２０を特定段２０ａとし、特定段２０ａ以外の格納庫２０を他段２０ｂとする。ここで、円滑性とは、パレットの移動のし易さを意味し、所定の円滑性を有するとは、他段２０ｂと比較して多くの空き領域を有することである。特定段２０ａと他段２０ｂは、運用方法を考慮した上で、制御プログラムにおいて設定される。また、以下の操作により特定段２０ａと他段２０ｂとの設定が、変更されることとしてもよい。例えば、機械式駐車装置１０の管理者によって、操作盤２８を介して各格納棚２０の空き領域の個数が指定されて変更される、或いは、保守員によって制御装置２４の制御プログラムにおいて直接指定して変更される等の方法がある。
【００４２】
また、閾値は、複数設けることとしてもよい。例えば、第２閾値より空き領域の個数を多く設定する第１閾値を設定しておき、入庫車両が増えて特定段の空き領域の個数が第１閾値になった場合には、それ以上特定段にパレットを格納させず、他段に車両を入車したパレットを入庫させる円滑モードとして運転させる。さらに、車両を入車したパレットが入庫された他段の空きパレットがなくなった場合には、円滑モードを解除し（つまり、閾値を第１閾値から第２閾値に変更し）、全ての格納庫で空き領域が均一になるまで（例えば、第２閾値まで）特定段及び他段に対し、順に入庫させる通常運転モードとして運転させる等の運用ができる。このように、複数の閾値を有することで、駐車台数が増加したことにより、第１閾値よりも緩い設定条件である第２閾値に切り替えて、駐車車両の台数を増やす等の対応をすることができる。
なお、閾値は、予め設定していても良いし、駐車状況に応じて変更されることとしてもよい。
【００４３】
なお、特定段２０ａの設定数、配置位置等は、特に限定されない。つまり、特定段２０ａは、機械式駐車装置１０に対して少なくともいずれか１つの段に設けられていればよく、例えば、機械式駐車装置１０の複数の段に設けられていてもよい。本実施形態においては、特定段２０ａは機械式駐車装置１０に１つの段に設けられる場合を例に挙げて説明する。
【００４４】
図１に示される機械式駐車装置１０おいて、格納庫２０は３層（段）として示されているが、これは一例であって層数は特に限定されず、１層、２層、又は４層以上であってもよいこととする。また、格納庫２０は、入出庫部１４よりも下層段に配置されているが、これに限らず、格納庫２０は、入出庫部１４よりも上層段に配置されていてもよいし、入出庫部１４よりも上層段及び下層段の両方に配置されてもよい。さらに、各段の格納棚１８は、リフト２２によって接続されており、各段のレイアウト（格納棚の数及び縦横比等）は、各々同じでも異なっていてもよい。
【００４５】
図２は、機械式駐車装置１０の制御装置２４の電気的構成を示すブロック図である。
制御装置２４は、ＣＰＵ（Ｃｅｎｔｒａｌ  Ｐｒｏｃｅｓｓｉｎｇ  Ｕｎｉｔ）４０、各種プログラムや各種パラメータ等が予め記憶されたＲＯＭ（Ｒｅａｄ  Ｏｎｌｙ  Ｍｅｍｏｒｙ）４２、ＣＰＵ４０による各種プログラムの実行時のワークエリア等として用いられるＲＡＭ（Ｒａｎｄｏｍ  Ａｃｃｅｓｓ  Ｍｅｍｏｒｙ）４４、各種プログラム及び各種情報を記憶する記憶手段としてのＨＤＤ（Ｈａｒｄ  Ｄｉｓｋ  Ｄｒｉｖｅ）４６を備えている。
【００４６】
なお、ＨＤＤ４６には、機械式駐車装置１０の利用者を特定できる識別情報（例えば、暗証番号を示す暗号番号情報等）が記憶されている。そして、車両１２が入庫される場合は、利用者の暗証番号と利用者の車両１２を載置するパレット１６の番号とが関係付けられて格納情報としてＨＤＤ４６に記憶される。これにより、利用者と利用者の車両１２とを関連付けすることができる。
【００４７】
また、ＨＤＤ４６の代わりに、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒy）、フラッシュメモリ、バッテリバックアップ付きのＳＲＡＭ（Ｓｔａｔｉｃ  Ｒａｎｄｏｍ  Ａｃｃｅｓｓ  Ｍｅｍｏｒｙ）等の記憶素子を用いてもよく、プログラム、利用者情報、及び設定値等のデータの種類に応じて記憶素子を使い分けて記憶させてもよい。
さらに、制御装置２４は、パレット１６やリフト２２等を駆動させるためのモータ（不図示）を制御するモータ制御部４８、及びパレット１６やリフト２２等の動作状態を検知するセンサ（不図示）からの信号を受信するセンサ信号受信部５０を備えている。
【００４８】
これらＣＰＵ４０、ＲＯＭ４２、ＲＡＭ４４、ＨＤＤ４６、モータ制御部４８、及びセンサ信号受信部５０、並びに操作盤２８は、システムバス５２を介して相互に電気的に接続されている。従って、ＣＰＵ４０は、ＲＯＭ４２、ＲＡＭ４４、及びＨＤＤ４６へのアクセス、操作盤２８に対する操作状態の把握及び画像の表示、モータ制御部４８を介したモータの駆動、並びにセンサ信号受信部５０を介したパレット１６やリフト２２等の動作状態の把握を行なうことができる。
【００４９】
次に、機械式駐車装置１０の制御装置２４における車両１２の入庫方法について説明する。
制御装置２４は、特定段２０ａに空きパレット１６´がある場合には、入庫させる車両１２を特定段２０ａの空きパレット１６´に入車させて特定段２０ａに入庫させ、特定段２０ａに空きパレット１６´がない場合には、特定段２０ａ以外の格納庫である他段２０ｂから取り出された空きパレット１６´に入車させて特定段２０ａに入庫させる。また、他段２０ｂから取り出した空きパレット１６´に車両１２を載置したパレット１６を特定段２０ａに入庫させるのは、他段２０ｂの空き領域の個数より特定段の空き領域の個数が多い場合とする。
【００５０】
ここで、入車とは、パレットに車両が載置されることであり、入庫とは、車両が載置されたパレットが格納庫２０の所望の格納棚１８に配置されることである。特定段２０ａには、空き領域が、閾値の範囲内で、車両１２を載置したパレット１６を格納させる。
制御装置２４は、入出庫動作の期間、及び入出庫動作の予約がない空き時間のうち、どちらか一方の期間において、リフト２２を用いて、空きパレットの枚数を調整する。
【００５１】
より具体的に、図３から図７を用いて、車両１２を入庫する場合の制御装置２４の作用について説明する。
図３は、３層の機械式駐車装置１０において、第１段を特定段２０ａとし、第２段を他段２０ｂ１、第３段を他段２０ｂ２とする。図３に示されるように、（０）初期状態においては、他段２０ｂ１，２０ｂ２は、空き領域がなく、空きパレット１６´が１１枚配置されており、特定段２０ａは、空き領域が５個及び空きパレット１６´が５枚配置されており、特定段２０ａに空き領域が集中している。また、各段における１箇所はリフト２２の配置スペースＬがある。なお、各段の呼称は、本実施形態で説明する上での呼称であって、実用化時には別の呼称を用いることとしてもよい。
【００５２】
また、機械式駐車装置１０には、所定の第１閾値（例えば、閾値＝３）が設定されている。設定される所定の第１閾値は、特定段２０ａに対し、所定の円滑性を有する空き領域の個数として設定される値である。
【００５３】
図３に示されるように、（０）初期状態では、特定段２０ａに空きパレット１６´があるので、制御装置２４は、特定段２０ａから取り出した空きパレット１６´に車両１２を入車させて特定段２０ａに入庫させ、特定段２０ａの空きパレット１６´がなくなるまで（例えば、５台入庫するまで）、入庫を繰り返す。入庫を繰り返し、図４の（１）入庫処理１に示されるように、特定段２０ａの全てのパレット１６が入車状態となり、空きパレット１６´がない場合には、他段２０ｂ１（または、他段２０ｂ２）から空きパレット１６´を取り出し、取り出した空きパレット１６´に入車させ、特定段２０ａに入庫させる。このように、特定段２０ａの空き領域の個数が第１閾値（例えば、３個）になるまで、同様に入庫を繰り返す。
【００５４】
図５の（２）入庫処理２に示されるように、特定段２０ａの空き領域の個数が所定の第１閾値（例えば、３）となり、かつ、特定段２０ａの全てのパレット１６が入車状態となった場合には、他段２０ｂ１（または、他段２０ｂ２）から取り出した空きパレット１６´に入車させたパレットを、他段２０ｂ１（パレット１６の取り出しを他段２０ｂ２から行っていた場合には、他段２０ｂ２）に入庫させる（図６（３）入庫処理３参照）。
このように、特定段２０ａの空き領域が第１閾値となり、全パレット１６が入車状態となった後には他段２０ｂ１（または、他段２０ｂ２）への車両１２の入庫が繰り返されることにより、特定段２０ａの円滑性が悪化することなく、特定段２０ａの円滑性を保つことができる（円滑モード）。
【００５５】
さらに、車両１２を入車したパレット１６が入庫された他段２０ｂ１の空きパレット１６´がなく、全てのパレット１６が入車状態となった場合には、円滑モードを解除し、全ての格納庫（特定棚２０ａ、他段２０ｂ１、及び他段２０ｂ２）で、空き領域が均一になる第２閾値まで、特定段２０ａ及び他段２０ｂ１に、順に入庫させる。つまり、特定段２０ａは、第１閾値を超えて入庫を受け入れ、特定段２０ａと他段２０ｂ１と他段２０ｂ２との空き領域が均一になるまで、車両１２の入庫が繰り返される（図７（４）入庫処理４参照）。
このように、入庫処理させていた他段の空きパレットがない場合には、各格納庫２０の空き領域数を更新（閾値を第１閾値から第２閾値に変更）するので、駐車状況に応じて、特定段及び他段は初めに設定されていた閾値を超えて入庫を受け入れることとなり、収容台数を減らすことがない。
【００５６】
続いて、機械式駐車装置１０の制御装置２４における車両１２の出庫方法について説明する。
制御装置２４は、特定段２０ａの空きパレット１６´がなく、かつ、特定段２０ａの車両１２が載置されたパレット１６の枚数が所定の枚数になっている場合には、特定段２０ａから車両１２を出庫させた後、特定段２０ａから取り出した車両１２の出庫後の空きパレット１６´は、他段２０ｂに格納させる。所定の枚数は、所定の円滑性を有する空き領域の個数に基づいて決定される。具体的には、所定の枚数は、格納庫２０に配置できる全てのパレット枚数（例えば、１５枚）から、所定の円滑性を有する空き領域の個数（例えば、３個）を減算した枚数（１５−３＝１２枚）である。
このようにすることで、特定段２０ａの空き領域が所定の閾値になっている場合には、空き領域を生成し、パレット１６の移動スペースを確保することができる。
【００５７】
以上説明してきたように、本実施形態に係る機械式駐車装置１０の制御装置２４によれば、複数の段に対応する格納庫２０のうち、所定の円滑性を有する空き領域の個数が設定される格納庫を特定段２０ａとし、特定段２０ａの空きパレット１６´がある場合には、特定段２０ａの空きパレット１６´に車両１２を入車して特定段２０ａに入庫し、特定段２０ａの空きパレット１６´がない場合には他段２０ｂから取り出した空きパレット１６´に車両１２を入車して特定段２０ａに入庫する。このように、特定段２０ａは、車両１２を優先的に入庫させる格納庫２０として使用され、特定段２０ａの空き領域の個数が所定の円滑性を有する閾値に設定され最適化されているので、車両入庫時の円滑性が向上する。
【００５８】
また、特定段２０ａは、空きパレット１６´が不足している場合には他段２０ｂから取り出した空きパレット１６´を使用して入庫を受け入れるように、駐車状況に応じて空き領域の個数が更新（閾値が変更）されるため、車両１２の収容台数を減らすことなく、円滑性を向上させることができる。
また、本発明は、通常の入出庫で使用されるリフト（昇降装置）２２を利用し、特定段２０ａ及び他段２０ｂにおけるパレット１６の配置を調整して最適化するので、従来の機械式駐車装置１０のソフトウェア的な入庫制御方法において車両が載置されたパレットを配置する先（段）の変更によって簡易に実現でき、導入コストを抑えることができる。さらに、補助リフト等の追加の設備が不要となるので、補助リフト等を設ける場合と比較して機械式駐車装置の複雑さを低減することができ、補助リフトスペースに格納棚を設けて収容台数を増やすことができる。
【００５９】
〔第２の実施形態〕
次に、本発明の第２の実施形態に係る機械式駐車装置の制御装置及び方法並びにプログラムについて図８を用いて説明する。
本実施形態に係る機械式駐車装置は、第１の実施形態における構成に加え、特定段が複数備えられている点で、上述の第１の実施形態と異なる。以下、本実施形態に係る機械式駐車装置１０´について、第１の実施形態と共通する点については説明を省略し、異なる点について主に説明する。
【００６０】
機械式駐車装置の特定段が複数ある場合には、制御装置において、特定段に対する重みづけを予め設定しておき、重みづけに基づいて車両の入出庫を制御する。
制御装置に設定される重みづけは、例えば、入出庫部との距離が近い特定段から順に重みづけが大きく設定される。ここで、入出庫部と特定段との距離とは、例えば、段数で示される距離であり、入出庫部が第５段にある場合には、第４段にある特定段との距離は「１」、第３段にある特定段との距離は「２」となる。例えば、図８に示されるように、機械式駐車装置１０は４層とし、特定段と他段とをそれぞれ２段ずつ設け、格納庫２０のうち入出庫部１４に近い順に、特定段２０ａ１、特定段２０ａ２、他段２０ｂ１、他段２０ｂ２と配置されている場合には、特定段２０ａ１の重みづけを特定段２０ａ２の重みづけより大きく設定する。
【００６１】
制御装置２４に予め設定する重みづけは、機械式駐車装置１０の導入時、或いは、導入後の定期点検時等に行われる初期設定（イニシャル設定）のタイミングで設定される。また、重みづけの設定方法は、制御装置２４の制御プログラムにおいて設定する、運転中の機械式駐車装置１０を保守モードに切り替え、操作盤の設定画面から設定する等の方法がある。
【００６２】
このように、複数の特定段がある場合でも、入出庫部１４との距離を考慮して重みづけが予め設定（固定設定）されることにより、入出庫にかかる時間が調整できる。つまり、入出庫部１４との距離が最も近い特定段２０ａ１を最も重みづけを大きくし、優先順位を高くすれば、距離が最も近い特定段２０ａ１が優先的に使用され、速やかに入出庫処理されるので、入出庫にかかる時間を低減できる。
【００６３】
〔第３の実施形態〕
次に、本発明の第３の実施形態に係る機械式駐車装置の制御装置及び方法並びにプログラムについて図９を用いて説明する。
本実施形態に係る機械式駐車装置は、第１の実施形態、第２の実施形態における構成に加え、特定段が車種に応じて備えられている点で、上述の第１の実施形態、第２の実施形態と異なる。以下、本実施形態に係る機械式駐車装置１０について、第１の実施形態、第２の実施形態と共通する点については説明を省略し、異なる点について主に説明する。
【００６４】
本実施形態の機械式駐車装置１０は４層とし、特定段と他段をそれぞれ２段ずつ設け、入庫する車両の種類（以下「車種」という）に応じて特定段を設定する場合を例に挙げて説明する。ここで、車両の種類（以下「車種」という）とは、車高や車長等の相違に基づいて分けられる種類であり、例えば、ハイルーフ車、普通車、ワゴン車等に分けられる。具体的には、図９に示されるように、特定段２０ａ１及び他段２０ｂ１がハイルーフ車用、特定段２０ａ２及び他段２０ｂ２が普通車用として設定される。
このように、車種毎に特定段と他段とをそれぞれ設定することにより、ハイルーフ車または普通車等のいずれの車種の車両が入庫される場合であっても、車種毎に入出庫の円滑性が偏ることがなく、入出庫の円滑性が保たれる。
【００６５】
〔第４の実施形態〕
次に、本発明の第４の実施形態に係る機械式駐車装置の制御装置及び方法並びにプログラムについて図１０を用いて説明する。
本実施形態に係る機械式駐車装置は、上記実施形態における構成に加え、特定段の重みづけが可変である点で、上述の実施形態と異なる。以下、本実施形態に係る機械式駐車装置１０´について、第１の実施形態、第２の実施形態、第３の実施形態と共通する点については説明を省略し、異なる点について主に説明する。
【００６６】
制御装置には、入出庫の予約状況及び機械式駐車装置の運転状態の少なくともどちらか一方に応じて、特定段に対する重みづけが設定される。具体的には、機械式駐車装置の円滑性が良くなるか否かに応じて重みづけの大きさ（つまり、優先順位の高さ）が決定され、制御装置の制御プログラムにて特定段に対する重みづけが設定される。
【００６７】
図１０から図１２を用いて、入出庫の予約状況及び運転状態に応じて重みづけが設定され、制御される場合の制御装置２４の作用を説明する。
図１０に示されるように、機械式駐車装置が４層であり、特定段２０ａ１及び特定段２０ａ２に備えられるパレットには全て車両が載置されており、空きパレット１６´がなく、また、他段２０ｂ１には空きパレット１６´が１１枚配置され、他段２０ｂ２には空きパレット１６´が３枚及び空き領域が８個配置されている。また、機械式駐車装置の第１予約では、車両の入庫予約があり、第２予約では、特定段２０ａ２に入庫されている車両の出庫予約がある。
【００６８】
第１予約では、車両の入庫予約があるが、特定段２０ａ１及び特定段２０ａ２にはそれぞれ空きパレット１６´がないため、他段２０ｂ２から空きパレット１６´を取り出し、入出庫部１４において取り出した空きパレット１６´に車両を入車させる。また、第２予約では、特定段２０ａ２からの出庫予約があるので、出庫させる車両が載置されているパレットが特定段２０ａ２から呼び出される（図１１参照）。
制御装置２４は、第１予約の処理において、円滑性がよくなるか否かを判定指針（例えば、次の処理である第２予約に備えて動作していない格納庫を選定することが円滑性がよいと判定）とし、判定指針によって選定される特定段である特定段２０ａ１に対し、重みづけを大きく設定する。
【００６９】
制御装置２４は、重みづけの情報に基づいてパレット１６を制御し、第１予約の入庫車両を重みづけを大きく設定された特定段２０ａ１に、入庫させる。特定段２０ａ２で待機していた第２予約の出庫車両が載置されたパレットは、入出庫部１４に取り出され、車両が出庫される（図１２参照）。
このように、制御装置２４は、円滑性を判定指針として、重みづけを大きくする特定段を逐次設定することにより、入出庫予約状況や機械式駐車装置の動作状況に応じた円滑性を有する制御が可能となる。
【００７０】
以上説明したように、本実施形態に係る機械式駐車装置１０の制御装置２４及び方法並びにプログラムによれば、複数ある特定段２０ａ１，２０ａ２の中から車両の入出庫の予約状況や機械の動作状況に応じて、優先度の高い特定段２０ａを選定し、選定した特定段２０ａの重みづけを大きく設定して、パレットを制御する。このように、重みづけの大きい特定段２０ａの選定を運用状態に応じて可変とする可変設定にすることにより、運用状態に応じた入出庫の円滑性向上が図れる。
【００７１】
〔第５の実施形態〕
次に、本発明の第５の実施形態に係る機械式駐車装置の制御装置及び方法並びにプログラムについて図１３を用いて説明する。
本実施形態に係る機械式駐車装置は、上述した実施形態における構成に加え、機械式駐車装置の入庫状況に応じて特定段の重みづけを変更する点で、上述の実施形態と異なる。以下、本実施形態に係る機械式駐車装置１０について、第１の実施形態、第２の実施形態、第３の実施形態、第４の実施形態と共通する点については説明を省略し、異なる点について主に説明する。
【００７２】
制御装置には、特定段に格納される車両の台数に基づいて、重みづけが決定される。具体的には、入庫されている車両の台数が少ない特定段に対して、入庫されている車両の台数が多い特定段よりも重みづけを大きく設定することにより、入庫台数が少ない特定段に優先的に車両を入庫させる。
【００７３】
図１３から図１５を用いて、格納庫２０の入庫台数に応じて重みづけが設定され、制御される場合の制御装置２４の作用を説明する。
図１３に示されるように、機械式駐車装置が４層であり、特定段２０ａ１及び特定段２０ａ２に備えられるパレットには全て車両が載置されており、空きパレット１６´がなく、また、他段２０ｂ１には空きパレット１６´が１１枚配置され、他段２０ｂ２には空きパレット１６´が３枚及び空き領域が８個配置されている。また、機械式駐車装置の第１予約及び第２予約では、それぞれ車両の入庫予約がある。
【００７４】
第１予約では、車両の入庫予約があるが、特定段２０ａ１及び特定段２０ａ２にはそれぞれ空きパレットがないため、他段２０ｂ２から空きパレット１６´を取り出し、入出庫部１４において取り出した空きパレットに車両を入車させる。また、第２予約では、新たな入庫予約があるので、他段２０ｂ１から空きパレット１６´が呼び出される（図１４参照）。
第１予約の入庫処理においては、特定段２０ａ１及び特定段２０ａ２の入庫台数は５台ずつであり等しいので、入出庫部に近い特定段２０ａ１に入庫させる。第２予約の入庫処理においては、特定段の入庫状況を判定指針（例えば、特定段２０ａ１は入庫数６台、特定段２０ａ２は入庫数５台）とし、制御装置２４は、判定指針によって選定される特定段である特定段２０ａ２に対し、重みづけを大きく設定する。
【００７５】
第２予約の入庫処理においては、制御装置２４は設定した重みづけに基づいて、特定段２０ａ２に対し、入庫させる。
このように、複数の特定段において入庫済みの車両の台数に基づいて重みづけを設定して入庫処理することで、複数の特定段の円滑性を均一に確保することができる。
また、２件以上の連続的な処理の予約がある場合等には、上述した第４の実施形態及び本第５の実施形態で記述した方法を併用することとしてもよい。併用することにより、複数ある特定段を有効的に使用し、円滑性が偏らないようにすることができる。
【符号の説明】
【００７６】
１０  機械式駐車装置
１２  車両
１４  入出庫部
１６  パレット
１６´  空きパレット
２０  格納庫
２０ａ、２０ａ１、２０ａ２  特定段
２０ｂ、２０ｂ１、２０ｂ２  他段
２４  制御装置
【図１】
0005901232.tif 000002
【図２】
0005901232.tif 000003
【図３】
0005901232.tif 000004
【図４】
0005901232.tif 000005
【図５】
0005901232.tif 000006
【図６】
0005901232.tif 000007
【図７】
0005901232.tif 000008
【図８】
0005901232.tif 000009
【図９】
0005901232.tif 000010
【図１０】
0005901232.tif 000011
【図１１】
0005901232.tif 000012
【図１２】
0005901232.tif 000013
【図１３】
0005901232.tif 000014
【図１４】
0005901232.tif 000015
【図１５】
0005901232.tif 000016